(57)【要約】【課題】ＳＭＳを用いて端末の位置情報や利用者の利用者情報に応じた情報配信を実現する。【解決手段】情報配信ゲートウェイ１００が、端末５００，５１０から端末５００，５１０を識別するための端末識別情報と端末５００，５１０の位置情報とを取得し、端末識別情報に基づいて、端末識別情報と端末５００，５１０の利用者に関する利用者情報とをあらかじめ対応付けて記憶している利用者情報データベース１１０の中から利用者情報を検索し、検索した利用者情報と端末５００，５１０の位置情報とに基づいて、配信する広告情報と配信対象となる対象者情報と配信するエリアを示すエリア情報とをあらかじめ対応付けて記憶している広告データベース１２０の中から広告情報を検索して取得し、取得した広告情報をＳＭＳを用いて端末５００，５１０へ配信する。【選択図】図１
2010204271.tif 000002
【特許請求の範囲】
【請求項１】
無線通信機能を有する端末へ広告情報を配信する情報配信システムであって、
前記端末を識別するための端末識別情報と、該端末の利用者に関する利用者情報とをあらかじめ対応付けて記憶している利用者情報データベースと、
前記配信する広告情報と該広告情報の配信対象となる対象者情報と該広告情報を配信するエリアを示すエリア情報とをあらかじめ対応付けて記憶している広告データベースと、
前記端末から該端末の端末識別情報と位置情報とを取得し、前記端末の端末識別情報に基づいて前記利用者情報を前記利用者情報データベースの中から検索し、該検索された利用者情報と前記端末の位置情報とに基づいて前記広告情報を前記広告データベースの中から検索して取得し、該取得した広告情報をＳＭＳ（Ｓｈｏｒｔ  Ｍｅｓｓａｇｅ  Ｓｅｒｖｉｃｅ）を用いて前記端末へ配信する情報配信ゲートウェイとを有する情報配信システム。
【請求項２】
請求項１に記載の情報配信システムにおいて、
前記情報配信ゲートウェイは、前記端末の位置情報に応じた前記エリア情報と対応付けられた前記対象者情報のうち前記検索された利用者情報に応じた前記対象者情報を前記広告データベースの中から検索し、該検索された前記対象者情報と対応付けられて前記広告データベースに記憶されている広告情報を前記広告データベースの中から検索して取得することを特徴とする情報配信システム。
【請求項３】
請求項１または請求項２に記載の情報配信システムにおいて、
前記広告データベースは、前記配信する広告情報として、該広告情報の格納場所を示すＵＲＬ（Ｕｎｉｆｏｒｍ  Ｒｅｓｏｕｒｃｅ  Ｌｏｃａｔｏｒ）情報を記憶し、
前記情報配信ゲートウェイは、前記広告データベースから前記ＵＲＬ情報を取得し、該ＵＲＬ情報を前記ＳＭＳに付与して前記端末へ配信することを特徴とする情報配信システム。
【請求項４】
請求項１乃至３のいずれか１項に記載の情報配信システムにおいて、
前記情報配信ゲートウェイは、前記広告情報をパケット交換ネットワークを介して前記端末へ配信することを特徴とする情報配信システム。
【請求項５】
請求項１乃至４のいずれか１項に記載の情報配信システムにおいて、
前記情報配信ゲートウェイは、前記利用者情報データベースと、前記広告データベースとを有することを特徴とする情報配信システム。
【請求項６】
無線通信機能を有する端末へ広告情報を配信する情報配信ゲートウェイであって、
前記端末から該端末を識別するための端末識別情報を取得する端末識別情報取得部と、
前記端末から該端末の位置情報を取得する位置情報取得部と、
該端末識別情報取得部が取得した端末識別情報に基づいて、当該情報配信ゲートウェイと接続され、前記端末識別情報と前記端末の利用者に関する利用者情報とをあらかじめ対応付けて記憶している利用者情報データベースの中から前記利用者情報を検索する利用者情報検索部と、
該利用者情報検索部が検索した利用者情報と前記位置情報取得部が取得した前記端末の位置情報とに基づいて、当該情報配信ゲートウェイと接続され、前記配信する広告情報と該広告情報の配信対象となる対象者情報と該広告情報を配信するエリアを示すエリア情報とをあらかじめ対応付けて記憶している広告データベースの中から前記広告情報を検索して取得する広告情報検索部と、
該広告情報検索部が取得した広告情報をＳＭＳ（Ｓｈｏｒｔ  Ｍｅｓｓａｇｅ  Ｓｅｒｖｉｃｅ）を用いて前記端末へ配信する配信部とを有する情報配信ゲートウェイ。
【請求項７】
請求項６に記載の情報配信ゲートウェイにおいて、
前記広告情報検索部は、前記端末の位置情報に応じた前記エリア情報と対応付けられた前記対象者情報のうち前記検索された利用者情報に応じた前記対象者情報を前記広告データベースの中から検索し、該検索された前記対象者情報と対応付けられて前記広告データベースに記憶されている広告情報を前記広告データベースの中から検索して取得することを特徴とする情報配信ゲートウェイ。
【請求項８】
請求項６または請求項７に記載の情報配信ゲートウェイにおいて、
前記広告情報検索部は、前記広告データベースが前記配信する広告情報として該広告情報の格納場所を示すＵＲＬ（Ｕｎｉｆｏｒｍ  Ｒｅｓｏｕｒｃｅ  Ｌｏｃａｔｏｒ）情報を記憶している場合、該広告データベースから前記ＵＲＬ情報を取得し、
前記配信部は、前記広告情報検索部が取得したＵＲＬ情報を前記ＳＭＳに付与して前記端末へ配信することを特徴とする情報配信ゲートウェイ。
【請求項９】
請求項６乃至８のいずれか１項に記載の情報配信ゲートウェイにおいて、
前記配信部は、前記広告情報をパケット交換ネットワークを介して前記端末へ配信することを特徴とする情報配信ゲートウェイ。
【請求項１０】
請求項６乃至９のいずれか１項に記載の情報配信ゲートウェイにおいて、
前記情報配信ゲートウェイは、前記利用者情報データベースと、前記広告データベースとを有することを特徴とする情報配信ゲートウェイ。
【請求項１１】
無線通信機能を有する端末へ広告情報を配信する情報配信方法であって、
前記端末から該端末を識別するための端末識別情報を取得する処理と、
前記端末から該端末の位置情報を取得する処理と、
前記端末識別情報に基づいて、前記端末識別情報と前記端末の利用者に関する利用者情報とをあらかじめ対応付けて記憶している利用者情報データベースの中から前記利用者情報を検索する処理と、
前記利用者情報と前記端末の位置情報とに基づいて、前記配信する広告情報と該広告情報の配信対象となる対象者情報と該広告情報を配信するエリアを示すエリア情報とをあらかじめ対応付けて記憶している広告データベースの中から前記広告情報を検索して取得する処理と、
前記取得した広告情報をＳＭＳ（Ｓｈｏｒｔ  Ｍｅｓｓａｇｅ  Ｓｅｒｖｉｃｅ）を用いて前記端末へ配信する処理とを有する情報配信方法。
【請求項１２】
請求項１１に記載の情報配信方法において、
前記端末の位置情報に応じた前記エリア情報と対応付けられた前記対象者情報のうち前記検索された利用者情報に応じた前記対象者情報を前記広告データベースの中から検索する処理と、
該検索された前記対象者情報と対応付けられて前記広告データベースに記憶されている広告情報を前記広告データベースの中から検索して取得する処理とを有することを特徴とする情報配信方法。
【請求項１３】
請求項１１または請求項１２に記載の情報配信方法において、
前記広告データベースが前記配信する広告情報として該広告情報の格納場所を示すＵＲＬ（Ｕｎｉｆｏｒｍ  Ｒｅｓｏｕｒｃｅ  Ｌｏｃａｔｏｒ）情報を記憶している場合、該広告データベースから前記ＵＲＬ情報を取得する処理と、
前記ＵＲＬ情報を前記ＳＭＳに付与して前記端末へ配信する処理とを有することを特徴とする情報配信方法。
【請求項１４】
請求項１１乃至１３のいずれか１項に記載の情報配信方法において、
前記広告情報をパケット交換ネットワークを介して前記端末へ配信する処理を有することを特徴とする情報配信方法。
【請求項１５】
無線通信機能を有する端末へ広告情報を配信する情報配信ゲートウェイに、
前記端末から該端末を識別するための端末識別情報を取得する手順と、
前記端末から該端末の位置情報を取得する手順と、
前記端末識別情報に基づいて、前記端末識別情報と前記端末の利用者に関する利用者情報とをあらかじめ対応付けて記憶している利用者情報データベースの中から前記利用者情報を検索する手順と、
前記利用者情報と前記端末の位置情報とに基づいて、前記配信する広告情報と該広告情報の配信対象となる対象者情報と該広告情報を配信するエリアを示すエリア情報とをあらかじめ対応付けて記憶している広告データベースの中から前記広告情報を検索して取得する手順と、
前記取得した広告情報をＳＭＳ（Ｓｈｏｒｔ  Ｍｅｓｓａｇｅ  Ｓｅｒｖｉｃｅ）を用いて前記端末へ配信する手順とを実行させるためのプログラム。
【請求項１６】
請求項１５に記載のプログラムにおいて、
前記端末の位置情報に応じた前記エリア情報と対応付けられた前記対象者情報のうち前記検索された利用者情報に応じた前記対象者情報を前記広告データベースの中から検索する手順と、
該検索された対象者情報と対応付けられて前記広告データベースに記憶されている広告情報を前記広告データベースの中から検索して取得する手順とを実行させるためのプログラム。
【請求項１７】
請求項１５または請求項１６に記載のプログラムにおいて、
前記広告データベースが前記配信する広告情報として該広告情報の格納場所を示すＵＲＬ（Ｕｎｉｆｏｒｍ  Ｒｅｓｏｕｒｃｅ  Ｌｏｃａｔｏｒ）情報を記憶している場合、該広告データベースから前記ＵＲＬ情報を取得する手順と、
前記取得したＵＲＬ情報を前記ＳＭＳに付与して前記端末へ配信する手順とを実行させるためのプログラム。
【請求項１８】
請求項１５乃至１７のいずれか１項に記載のプログラムにおいて、
前記広告情報をパケット交換ネットワークを介して前記端末へ配信する手順を実行させるためのプログラム。
【発明の詳細な説明】
【技術分野】
【０００１】
本発明は、情報を配信する情報配信システム、情報配信ゲートウェイ、情報配信方法およびプログラムに関する。
【背景技術】
【０００２】
現在の回線交換ネットワークでは、当該回線交換ネットワークと接続された端末間においてＳＭＳ（Ｓｈｏｒｔ  Ｍｅｓｓａｇｅ  Ｓｅｒｖｉｃｅ）という短い文字メッセージをやり取りするサービスが提供されている。
【０００３】
図９は、一般的なＳＭＳを実現するための通信システムの一例を示す図である。
【０００４】
図９に示した通信システムにおいては、端末５０００，５１００がモバイルキャリア７０００と接続されており、また、モバイルキャリア７０００とインターネット６０００とが接続されている。さらに、モバイルキャリア７０００には、パケット交換ネットワーク２０００と、回線交換ネットワーク３０００と、アクセスネットワーク４０００とが設けられている。
【０００５】
端末５０００と端末５１００との間でＳＭＳのメッセージを送受信する場合、例えば、端末５０００から送信されたメッセージは、アクセスネットワーク４０００を介して回線交換ネットワーク３０００にて受信され、回線交換ネットワーク３０００からアクセスネットワーク４０００を介して端末５１００へメッセージが送信される。
【０００６】
このようにＳＭＳを用いることにより、パケット交換ネットワークと接続されていない端末間であっても、文字メッセージを送受信することができる。
【０００７】
一方、パケット交換ネットワークでは、ネットワーク側から能動的に情報を配信する技術が考えられている（例えば、特許文献１，２参照。）。近年では、この情報配信技術を用いて、様々な広告情報を配信するサービスが増えてきている。
【先行技術文献】
【特許文献】
【０００８】
【特許文献１】特開２００１−３０９４４３号公報
【特許文献２】特開２００２−３６６８４３号公報
【発明の概要】
【発明が解決しようとする課題】
【０００９】
しかしながら、パケット交換ネットワークで実現されているような情報配信は、ＳＭＳでは実現できないという問題点がある。
【００１０】
本発明の目的は、上述した課題を解決する情報配信システム、情報配信ゲートウェイ、情報配信方法およびプログラムを提供することである。
【課題を解決するための手段】
【００１１】
本発明の情報配信システムは、
無線通信機能を有する端末へ広告情報を配信する情報配信システムであって、
前記端末を識別するための端末識別情報と、該端末の利用者に関する利用者情報とをあらかじめ対応付けて記憶している利用者情報データベースと、
前記配信する広告情報と該広告情報の配信対象となる対象者情報と該広告情報を配信するエリアを示すエリア情報とをあらかじめ対応付けて記憶している広告データベースと、
前記端末から該端末の端末識別情報と位置情報とを取得し、前記端末の端末識別情報に基づいて前記利用者情報を前記利用者情報データベースの中から検索し、該検索された利用者情報と前記端末の位置情報とに基づいて前記広告情報を前記広告データベースの中から検索して取得し、該取得した広告情報をＳＭＳ（Ｓｈｏｒｔ  Ｍｅｓｓａｇｅ  Ｓｅｒｖｉｃｅ）を用いて前記端末へ配信する情報配信ゲートウェイとを有する。
【００１２】
また、本発明の情報配信ゲートウェイは、
無線通信機能を有する端末へ広告情報を配信する情報配信ゲートウェイであって、
前記端末から該端末を識別するための端末識別情報を取得する端末識別情報取得部と、
前記端末から該端末の位置情報を取得する位置情報取得部と、
該端末識別情報取得部が取得した端末識別情報に基づいて、当該情報配信ゲートウェイと接続され、前記端末識別情報と前記端末の利用者に関する利用者情報とをあらかじめ対応付けて記憶している利用者情報データベースの中から前記利用者情報を検索する利用者情報検索部と、
該利用者情報検索部が検索した利用者情報と前記位置情報取得部が取得した前記端末の位置情報とに基づいて、当該情報配信ゲートウェイと接続され、前記配信する広告情報と該広告情報の配信対象となる対象者情報と該広告情報を配信するエリアを示すエリア情報とをあらかじめ対応付けて記憶している広告データベースの中から前記広告情報を検索して取得する広告情報検索部と、
該広告情報検索部が取得した広告情報をＳＭＳ（Ｓｈｏｒｔ  Ｍｅｓｓａｇｅ  Ｓｅｒｖｉｃｅ）を用いて前記端末へ配信する配信部とを有する。
【００１３】
また、本発明の情報配信方法は、
無線通信機能を有する端末へ広告情報を配信する情報配信方法であって、
前記端末から該端末を識別するための端末識別情報を取得する処理と、
前記端末から該端末の位置情報を取得する処理と、
前記端末識別情報に基づいて、前記端末識別情報と前記端末の利用者に関する利用者情報とをあらかじめ対応付けて記憶している利用者情報データベースの中から前記利用者情報を検索する処理と、
前記利用者情報と前記端末の位置情報とに基づいて、前記配信する広告情報と該広告情報の配信対象となる対象者情報と該広告情報を配信するエリアを示すエリア情報とをあらかじめ対応付けて記憶している広告データベースの中から前記広告情報を検索して取得する処理と、
前記取得した広告情報をＳＭＳ（Ｓｈｏｒｔ  Ｍｅｓｓａｇｅ  Ｓｅｒｖｉｃｅ）を用いて前記端末へ配信する処理とを有する。
【００１４】
また、本発明のプログラムは、
無線通信機能を有する端末へ広告情報を配信する情報配信ゲートウェイに実行させるためのプログラムであって、
前記端末から該端末を識別するための端末識別情報を取得する手順と、
前記端末から該端末の位置情報を取得する手順と、
前記端末識別情報に基づいて、前記端末識別情報と前記端末の利用者に関する利用者情報とをあらかじめ対応付けて記憶している利用者情報データベースの中から前記利用者情報を検索する手順と、
前記利用者情報と前記端末の位置情報とに基づいて、前記配信する広告情報と該広告情報の配信対象となる対象者情報と該広告情報を配信するエリアを示すエリア情報とをあらかじめ対応付けて記憶している広告データベースの中から前記広告情報を検索して取得する手順と、
前記取得した広告情報をＳＭＳ（Ｓｈｏｒｔ  Ｍｅｓｓａｇｅ  Ｓｅｒｖｉｃｅ）を用いて前記端末へ配信する手順とを実行させる。
【発明の効果】
【００１５】
以上説明したように本発明においては、無線通信機能を有する端末へ広告情報を配信する情報配信ゲートウェイが、端末から端末を識別するための端末識別情報と端末の位置情報とを取得し、端末識別情報に基づいて、端末識別情報と端末の利用者に関する利用者情報とをあらかじめ対応付けて記憶している利用者情報データベースの中から利用者情報を検索し、検索した利用者情報と端末の位置情報とに基づいて、配信する広告情報と配信対象となる対象者情報と配信するエリアを示すエリア情報とをあらかじめ対応付けて記憶している広告データベースの中から広告情報を検索して取得し、取得した広告情報をＳＭＳを用いて端末へ配信する構成としたため、ＳＭＳを用いて端末の位置情報や利用者の利用者情報に応じた情報配信を実現することができる。
【図面の簡単な説明】
【００１６】
【図１】本発明に情報配信システムの実施の一形態を示す図である。
【図２】図１に示した情報配信ゲートウェイの内部構成の一例を示す図である。
【図３】図１に示した利用者情報データベースの内部構造の一例を示す図である。
【図４】図１に示した広告データベースの内部構造の一例を示す図である。
【図５】本形態における情報配信方法を説明するためのシーケンス図である。
【図６】ステップＳ６にて端末へ配信されてきた広告情報が表示された端末の表示画面の一例を示す図である。
【図７】ＵＲＬが示すサイトから配信された特典が表示された端末の表示画面の一例を示す図である。
【図８】図１に示した情報配信ゲートウェイの内部構成の他の例を示す図である。
【図９】一般的なＳＭＳを実現するための通信システムの一例を示す図である。
【発明を実施するための形態】
【００１７】
以下に、本発明の実施の形態について図面を参照して説明する。
【００１８】
図１は、本発明に情報配信システムの実施の一形態を示す図である。
【００１９】
本形態は図１に示すように、端末５００，５１０と、インターネット６００と、モバイルキャリア７００とから構成されている。なお、端末５００，５１０の数は、２台に限らない。
【００２０】
端末５００，５１０は、無線通信機能を有する端末である。
【００２１】
インターネット６００は、一般的なインターネットである。
【００２２】
モバイルキャリア７００は、複数の通信ネットワークを設備として有するキャリアであり、端末５００，５１０を収容して端末５００，５１０間や端末５００，５１０からインターネット６００への接続を行う。
【００２３】
さらに、モバイルキャリア７００には、情報配信ゲートウェイ１００と、利用者情報データベース１１０と、広告データベース１２０と、パケット交換ネットワーク２００と、回線交換ネットワーク３００と、アクセスネットワーク４００とが設けられている。
【００２４】
情報配信ゲートウェイ１００は、広告データベース１２０に格納されている広告情報を端末５００，５１０へ配信する、呼制御が可能なＩＰ（Ｉｎｔｅｒｎｅｔ  Ｐｒｏｔｏｃｏｌ）ネットワークゲートウェイである。
【００２５】
図２は、図１に示した情報配信ゲートウェイ１００の内部構成の一例を示す図である。
【００２６】
図１に示した情報配信ゲートウェイ１００には図２に示すように、端末識別情報取得部１０１と、位置情報取得部１０２と、利用者情報検索部１０３と、広告情報検索部１０４と、配信部１０５とが設けられている。
【００２７】
端末識別情報取得部１０１は、端末５００，５１０それぞれに付与された端末識別情報を、端末５００，５１０から取得する。ここで、端末識別情報は、端末５００，５１０を識別するために、端末５００，５１０それぞれに付与された固有の識別情報である。例えば、端末５００，５１０の電話番号であっても良い。
【００２８】
位置情報取得部１０２は、端末５００，５１０から端末５００，５１０が存在する位置を示す位置情報を取得する。例えば、端末５００，５１０がＧＰＳ（Ｇｌｏｂａｌ  Ｐｏｓｉｔｉｏｎｉｎｇ  Ｓｙｓｔｅｍ）機能を有し、ＧＰＳにて取得した位置情報を端末５００，５１０から取得するものであっても良い。また、端末５００，５１０が位置登録した際の無線基地局（不図示）からの情報を位置情報とするものであっても良い。
【００２９】
利用者情報検索部１０３は、端末識別情報取得部１０１が取得した端末識別情報に基づいて、利用者情報データベース１１０の中から利用者情報を検索する。
【００３０】
広告情報検索部１０４は、位置情報取得部１０２が取得した位置情報と、利用者情報検索部１０３が検索した利用者情報とに基づいて、端末５００，５１０へ配信する広告の情報である広告情報を広告データベース１２０の中から検索し、取得する。
【００３１】
配信部１０５は、広告情報検索部１０４が広告データベース１２０から取得した広告情報を端末５００，５１０へ配信する。このとき、配信部１０５は当該広告情報をＳＭＳ（Ｓｈｏｒｔ  Ｍｅｓｓａｇｅ  Ｓｅｒｖｉｃｅ）を用いてＰＵＳＨ配信する。
【００３２】
また、利用者情報データベース１１０は、端末５００，５１０を利用する利用者に関する利用者情報をあらかじめ記憶する。
【００３３】
図３は、図１に示した利用者情報データベース１１０の内部構造の一例を示す図である。
【００３４】
図１に示した利用者情報データベース１１０には図３に示すように、端末識別情報と利用者情報とが対応付けられて記憶されている。また、利用者情報として、年齢と、性別と、趣味と、嗜好とが対応付けられて記憶されている。
【００３５】
端末識別情報は、端末を識別するために、当該端末それぞれに付与された固有の識別情報である。
【００３６】
年齢は、端末を利用（所有）する利用者の年齢である。
【００３７】
性別は、端末を利用（所有）する利用者の性別である。
【００３８】
趣味は、端末を利用（所有）する利用者の趣味である。
【００３９】
嗜好は、端末を利用（所有）する利用者の好みである。
【００４０】
これらは、利用者によってあらかじめ登録されており、それぞれが対応付けられて利用者情報データベース１１０に記憶されている。
【００４１】
図３に示したものを例に挙げて説明すると、例えば、端末識別情報「０９０１１１１１１１１」と、年齢「３５」と、性別「男性」と、趣味「映画鑑賞」と、嗜好「酒好き」とが対応付けられて記憶されている。これは、端末識別情報が「０９０１１１１１１１１」である端末の利用者は、映画鑑賞が趣味であり、お酒が好きな３５歳の男性であることを示している。また、端末識別情報「０９０２２２２２２２２」と、年齢「２５」と、性別「女性」と、趣味「スキー」と、嗜好「野菜好き」とが対応付けられて記憶されている。これは、端末識別情報が「０９０２２２２２２２２」である端末の利用者は、スキーが趣味であり、野菜が好きな２５歳の女性であることを示している。また、端末識別情報「０９０３３３３３３３３」と、年齢「４１」と、性別「男性」と、趣味「ドライブ」と、嗜好「甘味好き」とが対応付けられて記憶されている。これは、端末識別情報が「０９０３３３３３３３３」である端末の利用者は、ドライブが趣味であり、甘い物が好きな４１歳の男性であることを示している。
【００４２】
なお、利用者情報として図３に示したものに限らず、利用者に関する他の情報が記憶されているものであっても良い。
【００４３】
また、広告データベース１２０は、端末５００，５１０へ配信する広告情報と当該広告情報を配信するエリア情報と配信対象を示す対象者情報とをあらかじめ対応付けて記憶する。
【００４４】
図４は、図１に示した広告データベース１２０の内部構造の一例を示す図である。
【００４５】
図１に示した広告データベース１２０には図４に示すように、広告情報と、エリア情報と、対象者情報とが対応付けられて記憶されている。また、対象者情報として、年齢と、性別と、趣味と、嗜好とが対応付けられて記憶されている。
【００４６】
広告情報は、端末へ配信する情報である。また、広告情報は、単なる広告を示す情報であっても良いし、広告データベース１２０とは別に設けられた情報の格納場所を示すＵＲＬ（Ｕｎｉｆｏｒｍ  Ｒｅｓｏｕｒｃｅ  Ｌｏｃａｔｏｒ）情報であっても良い。
【００４７】
エリア情報は、広告情報を配信するエリアを示す情報である。
【００４８】
年齢は、広告情報の配信対象となる対象者の年齢である。
【００４９】
性別は、広告情報の配信対象となる対象者の性別である。
【００５０】
趣味は、広告情報の配信対象となる対象者の趣味である。
【００５１】
嗜好は、広告情報の配信対象となる対象者の好みである。
【００５２】
これらは、広告データベース１２０を管理する管理者によってあらかじめ登録されており、それぞれが対応付けられて広告データベース１２０に記憶されている。
【００５３】
図４に示したものを例に挙げて説明すると、例えば、広告情報「酒が飲める映画館の広告（ＵＲＬ：ｈｔｔｐ：／／ｗｗｗ．ｓａｋｅ．・・・）」と、エリア情報「渋谷」と、年齢「３０代」と、性別「男性」と、趣味「映画鑑賞」と、嗜好「酒好き」とが対応付けられて記憶されている。これは、映画鑑賞が趣味であり、お酒が好きな３０歳代の男性という条件に合う利用者が利用（所有）する端末の位置情報が渋谷である場合、当該端末へ配信する広告情報が「酒が飲める映画館の広告（ＵＲＬ：ｈｔｔｐ：／／ｗｗｗ．ｓａｋｅ．・・・）」であることを示している。また、広告情報「スポーツ用品店の広告（ＵＲＬ：ｈｔｔｐ：／／ｗｗｗ．ｓｐｏｒｔ．・・・）」と、エリア情報「神田」と、年齢「２０代」と、性別「女性」と、趣味「スキー」と、嗜好「野菜好き」とが対応付けられて記憶されている。これは、スキーが趣味であり、野菜が好きな２０歳代の女性という条件に合う利用者が利用（所有）する端末の位置情報が神田である場合、当該端末へ配信する広告情報が「スポーツ用品店の広告（ＵＲＬ：ｈｔｔｐ：／／ｗｗｗ．ｓｐｏｒｔ．・・・）」であることを示している。また、広告情報「喫茶店近隣の車用品店の広告（ＵＲＬ：ｈｔｔｐ：／／ｗｗｗ．ｃａｒ．・・・）」と、エリア情報「渋谷」と、年齢「２０〜４０代」と、性別「男性」と、趣味「ドライブ」と、嗜好「甘味好き」とが対応付けられて記憶されている。これは、ドライブが趣味であり、甘い物が好きな２０〜４０歳代の男性という条件に合う利用者が渋谷にいる場合、当該利用者が利用（所有）する端末へ配信する広告情報が「喫茶店近隣の車用品店の広告（ＵＲＬ：ｈｔｔｐ：／／ｗｗｗ．ｃａｒ．・・・）」であることを示している。
【００５４】
なお、対象者情報として図４に示したものに限らず、対象になるかどうかを示す他の情報が記憶されているものであっても良い。
【００５５】
また、パケット交換ネットワーク２００は、一般的なパケット交換処理を行うネットワークである。
【００５６】
回線交換ネットワーク３００は、一般的な回線交換処理を行うネットワークである。
【００５７】
アクセスネットワーク４００は、パケット交換ネットワーク２００または回線交換ネットワーク３００と端末５００，５１０とを接続するためのネットワークである。
【００５８】
以下に、本形態における情報配信方法について説明する。ここでは、端末５００へ情報が配信される場合を例に挙げて説明する。
【００５９】
図５は、本形態における情報配信方法を説明するためのシーケンス図である。
【００６０】
まず、情報配信ゲートウェイ１００の端末識別情報取得部１０１によって端末５００から端末識別情報が取得される（ステップＳ１）。この端末識別情報の取得方法は、特に規定しない。端末５００が位置登録してきた時の端末識別情報を取得するものであっても良いし、情報配信ゲートウェイ１００の端末識別情報取得部１０１から端末５００へ端末識別情報の取得要求を行うことにより取得するものであっても良い。
【００６１】
また、情報配信ゲートウェイ１００の位置情報取得部１０２によって端末５００から端末５００の位置情報が取得される（ステップＳ２）。この位置情報の取得方法は、特に規定しない。端末５００が位置登録してきた時の無線基地局の情報に基づくものであっても良いし、端末５００がＧＰＳ機能を有し、ＧＰＳにて取得した位置情報を端末５００から取得するものであっても良い。
【００６２】
なお、ステップＳ１の処理とステップＳ２の処理との順序についてはここでは規定しない。つまり、図５のシーケンス図のように、ステップＳ１の処理後、ステップＳ２の処理が行われるものであっても良いし、ステップＳ２の処理後、ステップＳ１の処理が行われるものであっても良い。また、ハードウェアにおける処理のように、ステップＳ１の処理とステップＳ２の処理とが同時に行われるものであっても良い。
【００６３】
続いて、ステップＳ１にて取得された端末識別情報に基づいて、利用者情報が利用者情報検索部１０３によって利用者情報データベース１１０から検索される（ステップＳ３）。例えば、図３に示した例では、ステップＳ１にて取得された端末識別情報が「０９０１１１１１１１１」である場合、「０９０１１１１１１１１」である端末識別情報と対応付けられて利用者情報データベース１１０に記憶されている、年齢「３５」と、性別「男性」と、趣味「映画鑑賞」と、嗜好「酒好き」との利用者情報が検索される。
【００６４】
利用者情報が検索されると、検索された利用者情報と、ステップＳ２にて取得された位置情報とに基づいて、広告情報検索部１０４によって広告データベース１２０の中から広告情報が検索される（ステップＳ４）。例えば、ステップＳ２にて取得された端末識別情報が「０９０１１１１１１１１」である端末の位置情報が渋谷である場合、広告データベース１２０に記憶されているエリア情報「渋谷」と対応付けられている対象者情報のうち、ステップＳ３にて検索された利用者情報と合致するものが検索される。図４に示した例では、エリア情報「渋谷」と対応付けられている対象者情報は、「酒が飲める映画館の広告（ＵＲＬ：ｈｔｔｐ：／／ｗｗｗ．ｓａｋｅ．・・・）」の広告情報と対応付けられた対象者情報と、「喫茶店近隣の車用品店の広告（ＵＲＬ：ｈｔｔｐ：／／ｗｗｗ．ｃａｒ．・・・）」の広告情報と対応付けられた対象者情報とである。これらの２つの対象者情報のうち、ステップＳ３にて検索された利用者情報と合致するものは、「酒が飲める映画館の広告（ＵＲＬ：ｈｔｔｐ：／／ｗｗｗ．ｓａｋｅ．・・・）」の広告情報と対応付けられた対象者情報であるため、当該対象者情報と対応付けられて記憶されている広告情報「酒が飲める映画館の広告（ＵＲＬ：ｈｔｔｐ：／／ｗｗｗ．ｓａｋｅ．・・・）」が検索されて広告情報検索部１０４によって取得される。
【００６５】
広告情報検索部１０４によって広告データベース１２０から広告情報が取得されると、取得された広告情報が配信部１０５にてＳＭＳのメッセージに付与される（ステップＳ５）。この付与方法については、ＳＭＳのメッセージに広告情報が付与されるものであっても良いし、広告情報に示されたＵＲＬ情報が付与されるものであっても良い。
【００６６】
そして、広告情報が付与されたＳＭＳのメッセージが配信部１０５からパケット交換ネットワーク２００とアクセスネットワーク４００とを介して端末５００へＰＵＳＨ配信される（ステップＳ６）。
【００６７】
図６は、ステップＳ６にて端末５００へ配信されてきた広告情報が表示された端末５００の表示画面の一例を示す図である。
【００６８】
図６に示すように、端末５００には、情報配信ゲートウェイ１００から配信された広告情報が表示される。ここでは、広告情報としてＵＲＬが配信された場合を例に挙げる。
【００６９】
さらに、図６に示した広告情報のＵＲＬを選択することにより、ＵＲＬが示すサイトに接続され、当該サイトに格納された特典（例えば、割引券等）が、当該サイトから配信される。
【００７０】
図７は、ＵＲＬが示すサイトから配信された特典が表示された端末５００の表示画面の一例を示す図である。
【００７１】
図７に示すように、図６に示した広告情報のＵＲＬを選択することにより、ＵＲＬが示すサイトから配信された特典が端末５００に表示される。
【００７２】
また、図１に示した利用者情報データベース１１０と広告データベース１２０とが情報配信ゲートウェイ１００に設けられているものであっても良い。
【００７３】
図８は、図１に示した情報配信ゲートウェイ１００の内部構成の他の例を示す図である。
【００７４】
図８に示した情報配信ゲートウェイ１００には、図２に示した構成に、利用者情報データベース１１０と広告データベース１２０とが追加されている。この利用者情報データベース１１０および広告データベース１２０は、図１に示した利用者情報データベース１１０および広告データベース１２０とそれぞれ同じものである。
【００７５】
また、広告データベース１２０が図１に示したインターネット６００上に配置されているものであっても良い。
【００７６】
なお、上述した情報配信ゲートウェイ１００の処理は、目的に応じて作製された論理回路で行うようにしても良い。また、処理内容を手順として記述したプログラムを情報配信ゲートウェイ１００にて読取可能な記録媒体に記録し、この記録媒体に記録されたプログラムを情報配信ゲートウェイ１００に読み込ませ、実行するものであっても良い。情報配信ゲートウェイ１００にて読取可能な記録媒体とは、フロッピーディスク（登録商標）、光磁気ディスク、ＤＶＤ、ＣＤなどの移設可能な記録媒体の他、情報配信ゲートウェイ１００に内蔵されたＲＯＭ、ＲＡＭ等のメモリやＨＤＤ等を指す。この記録媒体に記録されたプログラムは情報配信ゲートウェイ１００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００７７】
上述したように、呼制御が可能なＩＰネットワークゲートウェイを用いてＳＭＳをＰＵＳＨ配信できる情報配信ゲートウェイを構築し、利用者の利用者情報や端末の位置情報に応じた広告情報を記憶するデータベースと連携させる。これにより、利用者に適した広告をＳＭＳによってＰＵＳＨ配信することが可能となる。
【符号の説明】
【００７８】
１００    情報配信ゲートウェイ
１０１    端末識別情報取得部
１０２    位置情報取得部
１０３    利用者情報検索部
１０４    広告情報検索部
１０５    配信部
１１０    利用者情報データベース
１２０    広告データベース
２００    パケット交換ネットワーク
３００    回線交換ネットワーク
４００    アクセスネットワーク
５００，５１０    端末
６００    インターネット
７００    モバイルキャリア
【図１】
2010204271.tif 000003
【図２】
2010204271.tif 000004
【図３】
2010204271.tif 000005
【図４】
2010204271.tif 000006
【図５】
2010204271.tif 000007
【図６】
2010204271.tif 000008
【図７】
2010204271.tif 000009
【図８】
2010204271.tif 000010
【図９】
2010204271.tif 000011